(57)【要約】      （修正有）【課題】囲碁の十九路正規碁盤を活用することにより、小路碁盤としても自在に、利用できるようにした基盤シートを提供する。【解決手段】紙を正規の十九路碁盤１の表面全体に重ね合わせた大きさで、中央の四路碁盤のスペースに該当する部分を切取り、十三路碁盤の部分に至る間のすべての対角線に切込みを入れ、各小路碁盤に該当する部位の四面にミシン目５〜８を設ける。【選択図】図１
0003182422.tif 000002
【実用新案登録請求の範囲】
【請求項１】
紙をシートとして使い、前後・左右へのずれを防止するコーナー、および  切り込みとミシン目を設けることによって、正規の十九路碁盤を、小路の碁盤として自在に使い分けることを可能にした。
【請求項２】
基になる正規碁盤との親和性を高め、使い勝手を良くするため、特殊用紙の紙質および厚みを選定して、必要な強度が保て、折り曲げて厚くならず、復元性に優れた状態を得た。
【考案の詳細な説明】
【技術分野】
【０００１】  この考案は、囲碁の十九路正規碁盤を活用することにより、小路碁盤としても自在に、利用できるようにしたものである。
【背景技術】
【０００２】  囲碁は関心を持つ人の割りには初心で挫折する人が多いと言われる。原因としては、正規の十九路碁盤の広さと着手の自由度が大きいルールなどが、指摘されてきた。
そこで、初心者がルールを覚え易いように、あるいは初級者が短時間で多くの試合を経験出来るように、さらに上級者も限定した局面などを研究しやすいように、などの目的に応じて、盤面を狭めた小路の碁盤が工夫されてきた。
その結果  古くから十三路盤・九路盤があり、近時では七路盤や五路盤も出ており、最新では四路盤にまで至っているのが、その経緯である。
そして、それぞれの碁盤は単一の路数か、または表裏を利用して二種類の路数を複合した盤になっており、適宜使い分けているのが現状である。。
【先行技術文献】
【特許文献】
【０００３】
【特許文献１】特開平  ０５−０１５６３２
【非特許文献】
【０００４】
【非特許文献１】初心者のルールの解説書：五路盤や九路盤を多用。初級者の対局の指導書：九路盤や十三路盤  上級者の解説書：十三路盤（「イチャンホ・最強のヨセ」等）
【考案の概要】
【考案が解決しようとする課題】
【０００５】  既述した現状では、囲碁を習得する過程で碁盤を適宜使い分けるのが望ましいが、一度には多くて２種類の碁盤までであり、複数の種類の小路碁盤が必要になったり、また最終的には正規の十九路盤が改めて必要になる。
十九路盤で裏面が利用できるのは、板の継ぎ方に制約があって限られた仕様の盤になる。
そこで、この考案では、現在持っている、あるいは最終的に必要になる正規の十九路盤があれば、これを利用して「大が小を兼ねる」ことを可能にしようとするものであり、合わせて、常に最終の碁盤を目前に意識し易いことから、成長への継続したモチベーションになることも期待できる。
【課題を解決するための手段】
【０００６】  以上の課題を解決するために、第一考案は、正規の十九路碁盤の四隅をコーナーで押さえ全面をシート状に覆い、選択可能な任意のスペースを定位置で開けるようにし、所望の小路碁盤として使えるようにするものである。
そのために、切り込みとミシン目の部分をガイドにして折り込むことにより、必要なスペースが確保出来ること、さらに  四隅にコーナーを設け前後・左右へのずれを防止することで基になる正規碁盤との親和性を高めたことを特徴とする。
また、第二考案は、特殊用紙の選択である。必要な強度を保ち、折り曲げて厚くならず、復元性に優れており、上下方向のずれを少なくして親の碁盤に馴染みやすく、盤端の石の置き易さも企図している。
さらに、使用者の好みに応じたオプションとして、繰り返し使用が可能な両面接着剤を容易することによって、親碁盤との密着度を更に強化することも出来る。
【考案の効果】
【０００７】  この「成長碁盤シート」を利用することによって、入門や学習を目的とする各種の小路盤と最終使用の十九路盤を重複して調達することの無駄を無くすことが出来る。
さらに、木やプラスチックの板から紙のシートを使用することによって、社会的には資源の節約を、各個人には費用の節減を図ることが出来る。
既に正規の碁盤を持っている団体などが囲碁のイベントを企画する際に、小路碁盤が利用しやすくなることによって、バリエーションを拡げることができ、普及に役立つ。
【図面の簡単な説明】
【０００８】
【図１】この考案「成長碁盤シート」の全体を示す平面図。
【図２】コーナーの高さより薄い正規の碁盤で実施した斜視図、五路盤を選択の場合。
【図３】コーナーの高さより厚い正規の碁盤で実施した斜視図、九路盤を選択の場合。
【図４】従来の実施形態を示す平面図で、九路盤を表に五路盤を裏にした例を示す。
【考案を実施するための形態】
【０００９】  既に正規の十九路碁盤を持っている上級者が、十三路盤を使った解説書などで学習しようとする場合や、手持ちの碁盤で子や孫など身近な人に囲碁を教えようとする場合。
今から囲碁を学ぼうとする人が、始めから正規の用具を揃えることによって自らにプレッシャーをかけて習得を目指す場合などが想定される。
【実施例】
【００１０】  基になる正規碁盤の厚みに応じて、図１の１「ずれ防止用のコーナー」の利用方法を次のいずれかに決める。【００１１】  碁盤の厚みがコーナーの高さ以上の場合は、３の両面接着部を使用してコーナー状に加工する。碁盤がコーナーの高さ以下の薄い場合は、両面接着部を取り除いて碁盤に折り込む。【００１２】  「成長碁盤シート」が、基になる正規碁盤の四隅に固定され、全面がシート状に覆われ、窓として空いている部分が四路盤として使える状態になっていることを確認する。【００１３】  使用目的に応じて、四・五・七・九・十三路のいずれかに決める。
四路を除き五・七・九・十三路いずれかを選択した場合は、それぞれに応じた３から６のミシン目部分を折り込むことによって、目的の小路盤として使える状態になる。【００１４】  上達にしたがって実際の使用が九・十三路などに固定化する場合は、それ以下の部分を切り取って簡略化することも容易である。
【産業上の利用可能性】
【００１５】  各地で開催される囲碁大会では、参加者の層を拡大する意図や試合時間を短縮するニーズがあるために、七・九・十三路などの小路盤の必要性が高まっている。手持ちないし調達しやすい正規の十九路盤を活用することが出来るこの「成長碁盤シート」は、これらの要求に有効であろうと考える。
【符号の説明】
【００１６】１  成長碁盤シート全体の平面図
２  ずれ防止のコーナー部
３  接着・切取り調整部分
４  サイズ調整用の切り欠き
５  十三路盤用の折り込みガイドのミシン目
６  九路盤用の折り込みガイドのミシン目
７  七路盤用の折り込みガイドのミシン目
８  五路盤用の折り込みガイドのミシン目
【図１】
0003182422.tif 000003
【図２】
0003182422.tif 000004
【図３】
0003182422.tif 000005
【図４】
0003182422.tif 000006
【手続補正書】
【提出日】平成24年12月26日(2012.12.26)
【手続補正１】
【補正対象書類名】実用新案登録請求の範囲
【補正対象項目名】全文
【補正方法】変更
【補正の内容】
【実用新案登録請求の範囲】
【請求項１】
紙を正規の十九路碁盤の表面全体に重ね合わせた大きさで、中央の四路碁盤のスペースに該当する部分を切取り、十三路碁盤の部分に至る間のすべての対角線に切込みを入れ、各小路碁盤に該当する部位の四面にミシン目の形状を有する碁盤シート。
【請求項２】
前記の碁盤シートの四隅に山形の突起部を設け、角部からは切込みを入れ、辺からの延長部分に線を引いた形状であることを特徴とする請求項１に記載の碁盤シート。